(57)【要約】      （修正有）【課題】風圧に強く、運搬や組立て等の取扱いが容易な組立式の飛散防止ネットを提供する。【解決手段】枠材１２に網目材を張った側面矩形状の四枚の網枠体１１を、各網枠体１１の連結部を折曲げ自在として平面矩形状に組付けると共に、対向する二本の枠材１２の中心部に、その二本の枠材１２を内方に折曲げ自在とする折曲部１４を設けた下枠部１０を設ける。下枠部１０の少なくとも四隅に着脱自在に立設される複数のポール２１に、複数のポール２１で形成される前後左右の四つの側面と上面を覆い、かつ、一部に開閉自在の出入口２３を備えるネット材２２を取付けた覆い部２０を設ける。また、下枠部１０の少なくとも四隅の外側に着脱自在に取付けられる錘３０を設ける。【選択図】図１
0003147546.tif 000002
【実用新案登録請求の範囲】
【請求項１】
補修などを目的に道路の表面を掘削する際に，その周囲を囲み，掘削屑が飛散するのを防止するための組立式の飛散防止ネットであって、枠材（１２）に網目材（１３）を張った側面矩形状の四枚の網枠体（１１）を，各網枠体の連結部（１１ａ）を折曲げ自在として平面矩形状に組付けると共に，対向する二本の枠材の中心部に，該二本の枠材を内方に折曲げ自在とする折曲部（１４）を設けた下枠部（１０）と、前記下枠部の少なくとも四隅に着脱自在に立設される複数のポール（２１）に，該複数のポールで形成される前後左右の四つの側面と上面を覆い，かつ，一部に開閉自在の出入口（２３）を備えるネット材（２２）を取付けた覆い部（２０）と、
前記下枠部の少なくとも四隅の外側に着脱自在に取付けられる錘（３０）と、を備えてなる組立式飛散防止ネット。
【請求項２】
補修などを目的に道路の表面を掘削する際に，その周囲を囲み，掘削屑が飛散するのを防止するための組立式の飛散防止ネットであって、枠材（１２）に網目材（１３）を張った側面矩形状の四枚の網枠体（１１）を，各網枠体の連結部（１１ａ）を折曲げ自在として平面矩形状に組付けると共に，対向する二本の枠材の中心部に，該二本の枠材を内方に折曲げ自在とする折曲部（１４）を設けた下枠部（１０）と、前記下枠部の少なくとも四隅に着脱自在に立設される複数のポール（２１）に，該複数のポールで形成される前後左右の四つの側面と上面を覆，かつ，一部に開閉自在の出入口（２３）を備えるネット材（２２）を取付けた覆い部（２０）と、前記下枠部の少なくとも四隅の外側に着脱自在に取付けられる錘（３０）と、前記四本の枠材の内，前記折曲部を設けていない枠材の内の少なくとも一つの外側下端部に，前記下枠部と覆い部を組付けた一体物を，前記折曲部を折り曲げて折り畳んだ状態とし，かつ傾斜させた状態で移動させるキャスター（４０）を設けてなる組立式飛散防止ネット。
【請求項３】
ネット材（２２）の下端部の複数箇所のそれぞれに、留め金具（２５）を備えたゴムバンド（２４）を設け、前記留め金具を下枠部（１０）の下端部に係止させて、前記ネット材を下方向に引いて張ってなる請求項１または２に記載の組立式飛散防止ネット。
【請求項４】
下枠部（１０）の枠材（１２）を重量の大きな材料で形成し、覆い部（２０）のポール（２１）を前記枠材より軽量な材料で形成してなる請求項１、２または３に記載の組立式飛散防止ネット。
【請求項５】
下枠部（１０）の四隅の内側において、四枚の網枠体（１１）で形成された平面矩形状の変形を防止するために、隣接する二つの枠材（１２）の間に、中間部分が一方向のみに折曲げ自在なストップステー（１６）を架設してなる請求項１、２、３または４に記載の組立式飛散防止ネット。
【考案の詳細な説明】
【技術分野】
【０００１】
本考案は、補修などを目的に道路の表面を掘削する際に、その周囲を囲み、掘削屑が飛散するのを防止するための組立式飛散防止ネットに関するものである。
【背景技術】
【０００２】
例えば、道路の表面（コンクリートやアスファルト）を補修する場合に、その道路の表面を電動工具などで掘削する必要があるが、その際、多量の掘削屑が発生し、それが、近くを走行する自動車や近隣の家屋などに降りかかる事態が発生する。
【０００３】
従来、こうした事態を防止するために、道路表面の掘削する部分に板状部材（ウマ）を立て掛けたり、あるいはその掘削する部分の四方、あるいはその上方を含む五面をネット材で覆っていた。
【考案の開示】
【考案が解決しようとする課題】
【０００４】
しかし、板状部材（ウマ）を立て掛ける従来技術では、一面方向のみを飛散防止するので充分な飛散防止効果を発揮することができないといった問題がある。また、ネット材で四面または五面を覆う従来技術において、軽量で小型のものは風圧に弱く、風で容易に吹き飛ばされたり、倒されてしまい、また、大型で重いものは、風圧に強いものの、運搬や組立て等の取扱いが厄介であるといった問題がある。
【０００５】
本考案はこうした問題に鑑み創案されたもので、風圧に強く、かつ、運搬や組立て等の取扱いが容易な組立式の飛散防止ネットを提供することを課題とする。
【課題を解決するための手段】
【０００６】
図１乃至図４を参照して説明する。請求項１に記載の組立式飛散防止ネット１は、補修などを目的に道路の表面を掘削する際に、その周囲を囲み、掘削屑が飛散するのを防止するためのものである。
【０００７】
この組立式飛散防止ネット１は、枠材１２に網目材１３を張った側面矩形状の四枚の網枠体１１を、各網枠体１１の連結部１１ａを折曲げ自在として平面矩形状に組付けると共に、対向する二本の枠材１２の中心部に、該二本の枠材１２を内方に折曲げ自在とする折曲部１４を設けた下枠部１０を備える。
【０００８】
また、前記下枠部１０の少なくとも四隅に着脱自在に立設される複数のポール２１に、該複数のポール２１で形成される前後左右の四つの側面と上面を覆い、かつ、一部に開閉自在の出入口２３を備えるネット材２２を取付けた覆い部２０を備える。さらに、前記下枠部１０の少なくとも四隅の外側に着脱自在に取付けられる錘３０を備える。
【０００９】
請求項２に記載の組立式飛散防止ネット１は、同様に、補修などを目的に道路の表面を掘削する際に、その周囲を囲み、掘削屑が飛散するのを防止するためのものである。この組立式飛散防止ネット１も、枠材１２に網目材１３を張った側面矩形状の四枚の網枠体１１を、各網枠体１１の連結部１１ａを折曲げ自在として平面矩形状に組付けると共に、対向する二本の枠材１２の中心部に、該二本の枠材１２を内方に折曲げ自在とする折曲部１４を設けた下枠部１０を備える。
【００１０】
また、前記下枠部１０の少なくとも四隅に着脱自在に立設される複数のポール２１に、該複数のポール２１で形成される前後左右の四つの側面と上面を覆、かつ、一部に開閉自在の出入口２３を備えるネット材２２を取付けた覆い部２０を備える。さらに、前記下枠部１０の少なくとも四隅の外側に着脱自在に取付けられる錘３０を備える。
【００１１】
またさらに、前記四本の枠材１２の内、前記折曲部１４を設けていない枠材１２の内の少なくとも一つの外側下端部に、前記下枠部１０と覆い部２０を組付けた一体物を、前記折曲部１４を折り曲げて折り畳んだ状態とし、かつ傾斜させた状態で移動させるキャスター４０を備える。
【００１２】
請求項３に記載の組立式飛散防止ネット１は、請求項１または２に記載の考案において、ネット材２２の下端部の複数箇所のそれぞれに、留め金具２５を備えたゴムバンド２４を設け、前記留め金具２５を下枠部１０の下端部に係止させて、前記ネット材２２を下方向に引いて張ってなるものである。
【００１３】
請求項４に記載の組立式飛散防止ネット１は、請求項１、２または３に記載の考案において、下枠部１０の枠材１２を重量の大きな材料で形成し、覆い部２０のポール２１を前記枠材１２より軽量な材料で形成してなるものである。
【００１４】
請求項５に記載の組立式飛散防止ネット１は、請求項１、２、３または４に記載の考案において、下枠部１０の四隅の内側において、四枚の網枠体１１で形成された平面矩形状の変形を防止するために、隣接する二つの枠材１２の間に、中間部分が一方向のみに折曲げ自在なストップステー１６を設けてなるものである。
【考案の効果】
【００１５】
請求項１に記載の組立式飛散防止ネット１は、下枠部１０を枠材１２に網目材１３を張って構成し、また、覆い部２０を下枠部１０の少なくと四隅に立設したポール２１の四側面と上面とをネット材２２で覆って構成しているので、削り（はつり）作業において発生する掘削屑を周囲に飛散させることがない。
【００１６】
また、この飛散防止ネット１は、下枠部１０と覆い部２０を備え、下枠部１０の少なくとも四隅に錘３０を設けているので、風圧に強く、風によって吹き飛ばされるといった事態を未然に防止することができる。
【００１７】
また、この錘３０は下枠部１０の外側に着脱自在に設けているので、その取付けおよび取り外しの作業を外から容易に行うことができる。従って、当該組立式飛散防止ネット１の組立ておよび分解を簡単に行うことができ、その取扱いが容易となる。
【００１８】
請求項２に記載の組立式飛散防止ネット１は、請求項１に記載の考案と同様の効果を発揮する。また、四本の枠材１２の内の少なくとも一つの外側下端部に、下枠部１０と覆い部２０を組付けた一体物を、折曲部１４を折り曲げて折り畳んだ状態とし、傾斜させた状態で移動させるキャスター４０を設けているので、例えば、一つの現場から次の現場まで、分解することなく単に折り畳んだ状態で、作業員が引っ張って移動させることができる。従って、近距離の移動（運搬）をきわめて簡単に行うことができ、よって取扱いが容易となる。
【００１９】
請求項３に記載の組立式飛散防止ネット１は請求項１および２に記載の考案と同様の効果を発揮する。また、ネット材２２の下端部の複数箇所のそれぞれに、留め金具２５を備えたゴムバンド２４を設け、その留め金具２５を下枠部１０の下端部に係止させて、ネット材２２を下方向に引いて張っているので、当該ネット材２２を直立姿勢とすることができる。従って、例えば、外側から風圧を受けて内側に撓み、作業空間を狭くして作業を行い難くするといった事態を防止することができる。
【００２０】
請求項４に記載の組立式飛散防止ネット１は、請求項１乃至３に記載の考案と同様の効果を発揮する。また、下枠部１０の枠材１２を重量の大きな材料で形成し、覆い部２０のポール２１を前記枠材１２より軽量な材料で形成しているので、この飛散防止ネット１の重心を低く設定することができる。これにより、風圧によって移動したり倒れる等の弊害を防止することができる。
【００２１】
請求項５に記載の組立式飛散防止ネット１は、請求項１乃至４に記載の考案と同様の効果を発揮する。また、下枠部１０の四隅の内側において、四枚の網枠体１１で形成された平面矩形状の変形を防止するために、隣接する二つの枠材１２の間に、中間部分が一方向のみに折曲げ自在なストップステー１６を架設しているので、組立て後における飛散防止ネット１の平面矩形状の形状を良好に維持することができる。
【考案を実施するための最良の形態】
【００２２】
本考案に係る組立式飛散防止ネット１の実施形態を、図１乃至図４に示す。これは、道路の表面（路面）を補修する際に、その路面のコンクリートやアスファルトを掘削する（はつる）場合に、その周囲を囲み、掘削屑が近くを走行する自動車や近隣家屋へ飛散するのを防止するためのものであり、下枠部１０、覆い部２０、錘３０、およびキャスター４０を備える。
【００２３】
この飛散防止ネット１の大きさは限定されないが、本実施形態では縦横高さをそれぞれ約２ｍとした立方体形状としている。また、総重量を４０ｋｇ程度に抑えて、２名の作業員で容易に運搬車からの積み下ろし等の作業が行えるようにしている。
【００２４】
下枠部１０は、枠材１２の内壁側に路面を掘削する際に発生する粉体や掘削屑の飛散を防止することのできる網目を有する網目材１３（金属製や樹脂製などその形成材料は問わない）を張った側面矩形状の四枚の網枠体１１を、隣接する二つの網枠体１１の連結部１１ａを折曲げ自在として平面矩形状に組付け自在としたものである。また、対向する左右の枠材１２ｂ，１２ｂの中心部に、その二本の枠材１２ｂ，１２ｂを内方に折曲げ自在とする折曲部１４を設けている。
【００２５】
なお、折曲部１４を設けていない前後の枠材１２ａ，１２ａに段差凹部１７を形成し、組立て時等に、作業員がその段差凹部１７を超えて中に入り易くしている。また、段差凹部１７に隣接して把手１８を設けており、この把手１８を持って折り畳んだ状態にある下枠部１０を拡げたり、また、拡げた状態にある下枠部１０を折り畳むようにしている。
【００２６】
なお、下枠部１０の折り畳みは図３に示すように、各枠材１２を矢印で示す方向に移動させることによって行うことができる。この際、折曲部１４とストップステー１６はそれぞれ屈曲する。また、下枠部１０を拡げる際は、その逆方向に各枠材１２を移動させることによって行う。
【００２７】
覆い部２０は、下枠部１０の四隅と折曲部１４を備えた枠材１２の当該折曲部１４の鉛直部材に設けた挿入孔１９に、着脱自在に立設される６本のポール２１と、その６本のポール２１で規定される仮想直方体の四側面と上面を覆い、かつ、その一部に開閉自在の出入口２３を備えるネット材２２とで構成している。ネット材２２は各ポール２１に紐片２６で結びつけている。ポール２１は、ステンレス鋼製のポール下半部２１ａと、比重が小さく、弾力性があり、折れ難いカーボンよりなるポール上半部２１ｂとより構成されている。
【００２８】
前後２つの出入口２３，２３は、ネット材２２を縦方向に割り、チャックで開閉自在としている。また、この出入口２３は、網枠体１１の段差凹部１７に対応する箇所に設け、作業員が中に入る場合に、高さの低い段差凹部１７を超えて入り易くしている。なお、このチャックは、スライダーの摘み具２３ａ，２３ｂを飛散防止ネット１の外側および内側の両方に設ける等により、その両方から開閉できる構成としている。なお、ネット材２２は、掘削屑が飛散しない程度の小さな網目を有するものとしている。また、ポール２１は図示の６本に限定されるものではなく７本以上設けてもよい。
【００２９】
錘３０は、下枠部１０の四隅の外側において、枠材１２に着脱自在に取付けるものであり、本実施形態では、前後枠材１２ａ，１２ａの外側に円筒状の受け筒１５を設け、錘３０に設けた円柱状の係止片３１をその受け筒１５に挿入して取付けるものとしている。なお、この錘の重量は１個あたり、１０ｋｇ程度に設定している。
【００３０】
キャスター４０は、四本の枠材１２の内、折曲部１４を設けていない前後の枠材１２ａ，１２ｂの内の少なくとも一つの外側下端部に、下枠部１０と覆い部２０を組付けた一体物を、折曲部１４を折り曲げて板状に折り畳んだ状態とし、かつ傾斜させた状態で移動させることができるよう設けている（図４参照）。このキャスター４０の数は限定されないが、本実施形態では、前枠材１２ａの左右両端近傍部に設けて、前記一体物を安定姿勢で移動させることができるようにしている。
【００３１】
本実施形態に係る組立式飛散防止ネット１は、下枠部１０を枠材１２に網目材１３を張って構成し、また、覆い部２０を下枠部１０の少なくと四隅に立設したポール２１で規定される仮想直方体の前後左右と上面をネット材２２で覆って構成しているので、路面を削ったときに発生する掘削屑等を、近くを走行する自動車や近隣住宅等に飛散させることがない。
【００３２】
また、この飛散防止ネット１は、下枠部１０の四隅に錘３０を設けているので風圧に強い。従って、風によって吹き飛ばされ、あるいは倒されるといった事態を未然に防止することができる。
【００３３】
また、この錘３０は下枠部１０の内側ではなく外側に着脱自在に設けているので、その取付けおよび取り外しの作業を、飛散防止ネット１の外側から容易に行うことができる。これにより、当該組立式飛散防止ネット１の組立ておよび分解を簡単に行うことができる。
【００３４】
また、一つの枠材１２の外側下端部の左右両端近傍部にキャスター４０を設け、下枠部１０と覆い部２０を組付けた一体物を、折曲部１４を折り曲げて折り畳んだ状態とし、かつ傾斜させた状態で移動させるようにしているので、例えば、一つの作業現場から次の作業現場までの距離（例えば、１００ｍ）を分解することなく、下枠部１０と覆い部２０の一体物を折り畳んだ状態で、図４に示す如く作業員が引っ張って移動させることができる。従って、近距離の移動（運搬）を、運搬車等を使用することなく、きわめて簡単に行うことができる。
【００３５】
なお、本実施形態に係る組立式飛散防止ネット１は、ネット材２２の下端部の複数箇所のそれぞれに、留め金具２５を備えたゴムバンド２４を設け、その留め金具２５を下枠部１０の下端部に係止させて、ネット材２２を下方向に引いて張っている。これにより、ネット材２２を直立姿勢とすることができので、例えば、外側から風圧を受けて内側に撓んでしまい、作業空間を狭くして作業を行い難くするといった事態を防止することができる。
【００３６】
また、この飛散防止ネット１は、下枠部１０を構成する枠材１２，ポール下半部２１ａをステンレス鋼等の比重の高い鋼材で製作し、ポール上半部２１ｂを比重の低いカーボン材で構成し、ポール上半部２１ｂ相互間の横材（水平材）を省き、柔軟性のある立体型ネット材を被せている。これにより、飛散防止ネット１の重心を低く設定することができ、風圧によって移動したり倒れる等の弊害を防止することができる。
【００３７】
さらに、本実施形態では、下枠部１０の四隅の内側において、四枚の網枠体１１で形成された平面矩形状の変形を防止するために、隣接する二つの枠材１２の間に、中間部分が一方向のみ（平面矩形状の中心方向のみ）に折曲げ自在なストップステー１６を架設している。これにより、組立て後における飛散防止ネット１の平面矩形状の形状を変形させることなく良好に維持することができる。
【００３８】
また、本実施形態に係る組立式飛散防止ネット１は、主として下枠部１０と覆い部２０からなるいわゆる２ピース構造であるため、その取扱いが容易である。また、その製造やメンテナンスも容易である。また、この飛散防止ネット１は、ボルトやナットおよびそれを締め付ける工具などを使用することなく組み立てることができるので、組立ておよび分解作業を短時間で簡単に行うことができる。
【図面の簡単な説明】
【００３９】
【図１】本考案の実施形態に係る組立式飛散防止ネットを示す斜視図である。
【図２】図１に示す飛散防止ネットの分解正面図である。
【図３】図１に示す飛散防止ネットの下枠部を示す平面図である。
【図４】図１に示す飛散防止ネットを折り畳んだ状態で移動させる状態を示す説明図である。
【符号の説明】
【００４０】
１          組立式飛散防止ネット
１０        下枠部
１１        網枠体
１１ａ      連結部
１２        枠材
１２ａ      前後枠材
１２ｂ      左右枠材
１３        網目材
１４        折曲部
１５        受け筒
１６        ストップステー
１７        段差凹部
１８        把手
１９        挿入孔
２０        覆い部
２１        ポール
２１ａ      下ポール部材
２１ｂ      上ポール部材
２２        ネット材
２３        出入口
２３ａ      外側摘み具
２３ｂ      内側摘み具
２４        ゴムバンド
２５        留め金具
２６        紐片
３０        錘
３１        係止片
４０        キャスター
Ｓ          ステンレス材
Ｃ          カーボン材
【図１】
0003147546.tif 000003
【図２】
0003147546.tif 000004
【図３】
0003147546.tif 000005
【図４】
0003147546.tif 000006